(57)【要約】【課題】  特に大判カメラ用ズームレンズにおいて、高ズーム比、小型軽量を実現し、広角端から望遠端までの全ズーム範囲において高い光学性能を有するズームレンズ及びそれを有する撮像装置を提供すること。【解決手段】  物体側から像側に順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成されるズームレンズにおいて、前記ズームレンズの広角端の焦点距離、前記第１レンズ群の焦点距離、前記第２レンズ群の焦点距離、前記ズームレンズの広角端の半画角を適切に設定する。【選択図】  図１
2015212725.tif 000002
【特許請求の範囲】
【請求項１】
物体側から像側に順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成されるズームレンズであって、前記ズームレンズの広角端の焦点距離をｆＷ、前記第１レンズ群の焦点距離をｆ１、前記第２レンズ群の焦点距離をｆ２、前記ズームレンズの広角端の半画角をω_Ｗとするとき、
−１２．００＜ ｆ１／ｆ２ ＜−４．００
−１．００＜ ｆ２／（２×ｆＷ×tan（ω_Ｗ））＜−０．３０
を満たすことを特徴とするズームレンズ。
【請求項２】
無限遠に合焦したときの前記第２レンズ群の広角端の横倍率をβ２Ｗ、前記第２レンズ群の望遠端の横倍率をβ２Ｔとするとき
９．００＜β２Ｔ／β２Ｗ＜ ３５．００
を満たすことを特徴とする請求項１に記載のズームレンズ。
【請求項３】
前記ズームレンズの望遠端の焦点距離をｆＴとするとき、
２．００＜ ｆＴ ／ ｆ１ ＜ ８．００
を満たすことを特徴とする請求項１又は２に記載のズームレンズ。
【請求項４】
広角端における前記第２レンズ群の最も像側の面と前記少なくとも１群以上のズーミングに際して移動するレンズ群の最も物体側の面の光軸上の間隔をＬ２Ｗとするとき
−０．５０＜ｆ２／Ｌ２Ｗ＜ −０．０５
を満たすことを特徴とする請求項１乃至３のいずれか１項に記載のズームレンズ。
【請求項５】
前記第１レンズ群の最も物体側の面から前記開口絞りまでの光軸上の距離をＬＦとするとき
４．００＜ＬＦ／（２×ｆＷ×tan（ω_Ｗ））＜ ２０．００
を満たすことを特徴とする請求項１乃至４のいずれか１項に記載のズームレンズ。
【請求項６】
前記ズームレンズの望遠端の焦点距離をｆＴとするとき、
１０．００＜ ｆＴ ／（２×ｆＷ×tan（ω_Ｗ））＜ ４０．００
を満たすことを特徴とする請求項１乃至５のいずれか１項に記載のズームレンズ。
【請求項７】
前記開口絞りより物体側のレンズ群でフォーカシングを行うことを特徴とする請求項１乃至６のいずれか１項に記載のズームレンズ。
【請求項８】
前記開口絞りがズーミングに際して移動しないことを特徴とする請求項１乃至７のいずれか１項に記載のズームレンズ。
【請求項９】
請求項１乃至８のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、ビデオカメラ、写真用カメラ等の撮像装置には、映像表現の拡大のため浅い被写界深度や美しいボケ味を特徴とする大判カメラが用いられている。大判カメラに装着するズームレンズとして、機動性の確保と撮影自由度の向上のため小型軽量で、高ズーム比、且つ高い光学性能を有したズームレンズが要望されている。高ズーム比のズームレンズとして、特許文献１、２で提案されているように最も物体側に正の屈折力のレンズ群を配置し、全体として４つ以上のレンズ群により構成されるポジティブリード型のズームレンズが知られている。
【先行技術文献】
【特許文献】
【０００３】
【特許文献１】特開２０１１−１７５１８５号公報
【特許文献２】特開２０１２−１５０２４８号公報
【発明の概要】
【発明が解決しようとする課題】
【０００４】
一般的に撮像装置のイメージサイズが大きくなると、それに応じて装着するズームレンズも大型化する。従って、イメージサイズの大きな撮像装置に装着する場合には、ズームレンズの小型軽量が課題となる。
【０００５】
前述のポジティブリード型のズームレンズは、高ズーム比を達成するのが比較的容易である。しかしながら、更なる高ズーム比を実現するには、ズーミングに伴う第２レンズ群の移動量が増大し、高ズーム比と小型軽量を両立することが困難となる。前述したポジティブリード型で、高ズーム比と小型軽量を実現するには、特に第１レンズ群、第２レンズ群の屈折力を適切に設定することが重要である。
【０００６】
本発明では前述のポジティブリード型のズームレンズにおいて、高ズーム比、小型軽量を実現し、全ズーム範囲において高性能を有するズームレンズの提供を目的とする。具体的には、広角端の画角４６．８度〜５６．８度程度、望遠端の画角１．６度〜４．５度程度、変倍比１１〜３０倍程度のズームレンズの提供を目的とする。
【課題を解決するための手段】
【０００７】
本発明のズームレンズは、物体側から像側に順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成されるズームレンズであって、前記ズームレンズの広角端の焦点距離をｆＷ、前記第１レンズ群の焦点距離をｆ１、前記第２レンズ群の焦点距離をｆ２、前記ズームレンズの広角端の半画角をω_Ｗとするとき、
−１２．００＜ ｆ１／ｆ２ ＜−４．００
−１．００＜ ｆ２／（２×ｆＷ×tan（ω_Ｗ））＜−０．３０
を満たすことを特徴とする。
【発明の効果】
【０００８】
本発明によれば、特に大判カメラ用ズームレンズにおいて、高ズーム比、小型軽量を実現し、広角端から望遠端までの全ズーム範囲において高い光学性能を有するズームレンズ及びそれを有する撮像装置を得られる。
【図面の簡単な説明】
【０００９】
【図１】本発明の実施例１のズームレンズの広角端で無限遠合焦時のレンズ断面図である。
【図２】実施例１の無限遠合焦時の（Ａ）広角端、（Ｂ）焦点距離１８０．００ｍｍ、（Ｃ）望遠端における縦収差図である。
【図３】本発明の実施例２のズームレンズの広角端で無限遠合焦時のレンズ断面図である。
【図４】実施例２の無限遠合焦時の（Ａ）広角端、（Ｂ）焦点距離２７４．００ｍｍ、（Ｃ）望遠端における縦収差図である。
【図５】本発明の実施例３のズームレンズの広角端で無限遠合焦時のレンズ断面図である。
【図６】実施例３の無限遠合焦時の（Ａ）広角端、（Ｂ）焦点距離１６６．００ｍｍ、（Ｃ）望遠端における縦収差図である。
【図７】本発明の実施例４のズームレンズの広角端で無限遠合焦時のレンズ断面図である。
【図８】実施例４の無限遠合焦時の（Ａ）広角端、（Ｂ）焦点距離１８０．００ｍｍ、（Ｃ）望遠端における縦収差図である。
【図９】本発明の実施例５のズームレンズの広角端で無限遠合焦時のレンズ断面図である。
【図１０】実施例５の無限遠合焦時の（Ａ）広角端、（Ｂ）焦点距離１８０．００ｍｍ、（Ｃ）望遠端における縦収差図である。
【図１１】本発明の実施例６のズームレンズの広角端で無限遠合焦時のレンズ断面図である。
【図１２】実施例６の無限遠合焦時の（Ａ）広角端、（Ｂ）焦点距離１８０．００ｍｍ、（Ｃ）望遠端における縦収差図である。
【図１３】本発明の撮像装置の要部概略図である。
【図１４】実施例６の（Ａ）広角端と（Ｂ）望遠端における無限物体に合焦しているときの光路図である。
【発明を実施するための形態】
【００１０】
次に本発明のズームレンズの特徴について説明する。
【００１１】
本発明のズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。レンズ全系の広角端の焦点距離をｆＷ、前記第１レンズ群の焦点距離をｆ１、前記第２レンズ群の焦点距離をｆ２、広角端の半画角をω_Ｗ、とするとき、
−１２．００＜ ｆ１／ｆ２ ＜−４．００                    ・・・（１）
−１．００＜ ｆ２／（２×ｆＷ×tan（ω_Ｗ））＜−０．３０  ・・・（２）
を満たしている。
【００１２】
条件式（１）は、第１レンズ群Ｕ１の焦点距離と第２レンズ群Ｕ２の焦点距離の比を規定している。条件式（１）を満たすことで、ズームレンズの収差変動を良好に補正するとともに、高ズーム比と小型軽量の両立が可能となる。条件式（１）の上限を超えると、第１レンズ群の焦点距離が短すぎて、特に望遠端における球面収差、軸上色収差等の補正が困難となるとともに、第２レンズ群の焦点距離が長すぎてズーミングに伴う第２レンズ群の移動量が増大するため、高ズーム比と小型軽量を両立することが困難となる。条件式（１）の下限を超えると、第１レンズ群の焦点距離が増大し、第１レンズ群の有効径やレンズ全長が大きくなりズームレンズの小型軽量が困難となるとともに、第２レンズ群の焦点距離が短すぎて、球面収差、軸上色収差等の収差変動の補正が困難となる。
【００１３】
更に好ましくは、条件式（１）を次の如く設定するのが良い。
−８．００＜ ｆ１／ｆ２ ＜−５．００                    ・・・（１ａ）
【００１４】
条件式（２）は、第２レンズ群Ｕ２の焦点距離と広角端のイメージサイズの比を規定している。条件式（２）を満たすことで、ズームレンズの収差変動を良好に補正するとともに、高ズーム比と小型軽量の両立が可能となる。条件式（２）の上限を超えると、第２レンズ群の焦点距離が短すぎて、球面収差、軸上色収差等の収差変動の補正が困難となる。条件式（２）の下限を超えると、第２レンズ群の焦点距離が長すぎてズーミングに伴う第２レンズ群の移動量が増大するため、高ズーム比と小型軽量を両立することが困難となる。
【００１５】
更に好ましくは、条件式（１）を次の如く設定するのが良い。
−０．９９＜ｆ２／（２×ｆＷ×tan（ω_Ｗ））＜−０．５０  ・・・（２ａ）
【００１６】
以上の各条件式を満たすことにより、本発明のズームレンズは、大判カメラ用ズームレンズでありながら、高ズーム比、小型軽量を実現するとともに、広角端から望遠端までの全ズーム範囲において高い光学性能を達成している。
【００１７】
本発明のズームレンズは、更なる特徴として、条件式（３）により規定される無限遠合焦時の第２レンズ群の広角端の横倍率β２Ｗと第２レンズ群の望遠端の横倍率β２Ｔの比を満たしている。
９．００＜β２Ｔ／β２Ｗ＜ ３５．００                  ・・・（３）
【００１８】
条件式（３）を満たすことで、ズームレンズの収差変動を良好に補正するとともに、高ズーム比と小型軽量の両立が可能となる。条件式（３）の上限を超えると、第２レンズ群が担うズーム倍率が大きくなり過ぎるため、第２レンズ群の屈折力が強くなり、特に望遠端における球面収差、軸上色収差等の補正が困難となる。条件式（３）の下限を超えると、第２レンズ群が担うズーム倍率が小さくなり過ぎるため、高ズーム比を達成することが困難となる。
【００１９】
更に好ましくは、条件式（３）を次の如く設定するのが良い。
９．００＜β２Ｔ／β２Ｗ＜ ３０．００                  ・・・（３ａ）
【００２０】
本発明のズームレンズは、更なる特徴として、条件式（４）により規定されるレンズ全系の望遠端の焦点距離と第１レンズ群の焦点距離の比を満たしている。
２．００＜ ｆＴ ／ ｆ１ ＜ ８．００                    ・・・（４）
【００２１】
条件式（４）を満たすことで、高ズーム比と高性能化の両立が可能となる。条件式（４）の上限を超えると、レンズ全系における望遠端の焦点距離に対して第１レンズ群の焦点距離が短くなり過ぎるため、特に望遠端における球面収差、軸上色収差等の第１レンズ群に起因する諸収差の抑制が困難となる。条件式（４）の下限を超えると、レンズ全系における望遠端の焦点距離に対して第１レンズ群の焦点距離が長くなり過ぎるため、変倍レンズ群の物点位置が遠ざかるため、ズーミングに伴う移動量が増大してしまい高ズーム比が困難となる。
【００２２】
更に好ましくは、条件式（４）を次の如く設定するのが良い。
２．００＜ ｆＴ ／ ｆ１ ＜ ７．００                    ・・・（４ａ）
【００２３】
本発明のズームレンズは、更なる特徴として、条件式（５）により規定される第２レンズ群の焦点距離ｆ２と広角端における第２レンズ群と第３レンズ群の光軸上の空気間隔（第２レンズ群の像側の面と第３レンズ群の物体側の面との光軸上の間隔）Ｌ２Ｗの比を満たしている。
−０．５０＜ｆ２／Ｌ２Ｗ＜ −０．０５                  ・・・（５）
【００２４】
条件式（５）を満たすことで、ズームレンズの収差変動を良好に補正するとともに、高ズーム比と小型軽量の両立が可能となる。条件式（５）の上限を超えると、広角端における第２レンズ群と第３レンズ群の間隔に対して第２レンズ群の焦点距離が短くなり過ぎるため、ズームレンズの収差変動を良好に補正することが困難となる。条件式（５）の下限を超えると、広角端における第２レンズ群と第３レンズ群の間隔に対して第２レンズ群の焦点距離が長くなり過ぎるため、ズーミングに伴う第２レンズ群の移動量を十分に確保できないため高ズーム比を達成することが困難となる。
【００２５】
更に好ましくは、条件式（５）を次の如く設定するのが良い。
−０．４０＜ｆ２／Ｌ２Ｗ＜ −０．１０                  ・・・（５ａ）
【００２６】
本発明のズームレンズは、更なる特徴として、条件式（６）により規定される第１レンズ群の最も物体側面から開口絞りまでの光軸上の距離ＬＦと広角端のイメージサイズの比を満たしている。
４．００＜ＬＦ／（ｆＷ×tan（２×ω_Ｗ））＜ ２０．００  ・・・（６）
【００２７】
条件式（６）を満たすことで、ズームレンズの収差変動を良好に補正するとともに、高ズーム比と小型軽量の両立が可能となる。条件式（６）の上限を超えると、イメージサイズに対して変倍レンズ群の全長が長くなり過ぎるため、小型軽量を達成することが困難となる。条件式（６）の下限を超えると、イメージサイズに対して変倍レンズ群の全長が短くなり過ぎ、ズーム倍率を確保ために特に第２レンズ群の屈折力を強くする必要があるため、ズームレンズの収差変動を良好に補正するとともに、高ズーム比を達成することが困難となる。
【００２８】
更に好ましくは、条件式（６）を次の如く設定するのが良い。
６．００＜ＬＦ／（２×ｆＷ×tan（ω_Ｗ））＜ １５．００  ・・・（６ａ）
【００２９】
本発明のズームレンズは、更なる特徴として、条件式（７）により規定されるレンズ全系の望遠端の焦点距離ｆＴと広角端のイメージサイズの比を満たしている。
１０．００＜ ｆＴ／（２×ｆＷ×tan（ω_Ｗ））＜ ４０．００  ・・・（７）
【００３０】
条件式（７）を満たすことで、ズームレンズの収差変動を良好に補正するとともに、望遠化と小型軽量の両立が可能となる。条件式（７）の上限を超えると、イメージサイズに対してレンズ全系の望遠端の焦点距離が長すぎて、特に望遠端における球面収差、軸上色収差等の補正が困難となるとともに、第１レンズ群の有効系やレンズ全長が大きくなりズームレンズの小型軽量の実現が困難となる。条件式（７）の下限を超えると、イメージサイズに対してレンズ全系の望遠端の焦点距離が短すぎて、ズームレンズの望遠化に不利である。
【００３１】
更に好ましくは、条件式（７）を次の如く設定するのが良い。
１０．００＜ ｆＴ／（２×ｆＷ×tan（ω_Ｗ））＜３５．００  ・・・（７ａ）
【００３２】
本発明のズームレンズは、上記の各条件式を満たすことで、収差変動を良好に補正するとともに、高ズーム比と小型軽量の両立が可能となる。
【実施例１】
【００３３】
図１は実施例１のズームレンズの広角端で無限遠物体に合焦しているときのレンズ断面図である。本発明の実施例１に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００３４】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１群以上のズーミングに際して移動するレンズ群」は、物体側から像側へ順に、第３レンズ群Ｕ３と第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体への焦点調整に際し物体側に移動する。本実施例において、後レンズ群は、物体側から像側へ順に、ズーミングのためには移動しない開口絞りＳＰ、ズーミングのためには移動しない負の屈折力の第５レンズ群（リレーレンズ群）から構成されている。ＩＰは像面であり、固体撮像素子（光電変換素子）の撮像面に相当している。
【００３５】
実施例１の各レンズ群は、物体側より像側へ順に、以下の構成を有する。第１レンズ群Ｕ１は正レンズ、負レンズ、正レンズ３枚で構成されている。第２レンズ群Ｕ２は負レンズ３枚、及び正レンズで構成されている。第３レンズ群Ｕ３は正レンズ、負レンズ、正レンズで構成されている。第４レンズ群Ｕ４は、正レンズ、負レンズと正レンズの接合レンズから構成されている。第５レンズ群Ｕ５は開口絞りＳＰ、負レンズと正レンズの接合レンズ２枚、負レンズと正レンズと負レンズの接合レンズ、正レンズと負レンズの接合レンズ３枚から構成されている。
【００３６】
実施例１に対応する数値実施例を下記の＜数値実施例１＞に示す。以下に示す各実施例に対応する各数値実施例において、ｒは物体側より各面の曲率半径、ｄは各面の間隔、ｎｄとνｄは各光学部材の屈折率とアッベ数である。非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２を各々非球面係数としたとき、次式で表される。
【００３７】
【数１】
2015212725.tif 000003
「ｅ−Ｚ」は「×１０−Ｚ」を意味する。＊印は非球面であることを示している。
【００３８】
図２に、実施例１のズームレンズの無限遠合焦時の、（Ａ）広角端、（Ｂ）焦点距離１８０．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線とｇ線によって表されている。非点収差はｅ線のメリディオナル像面（ΔＭ）とｅ線のサジタル像面（ΔＳ）によって表されている。倍率色収差はｇ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００３９】
表１に数値実施例１の各条件式の対応値を示す。数値実施例１は条件式（１）〜（７）の何れの条件式も満足している。本実施例のズームレンズは、大判カメラ用ズームレンズでありながら小型軽量で、ズーム比２０．０倍、広角端の半画角２８．４度、望遠端の半画角１．６度という、高ズーム比、広角端から望遠端までの全ズーム範囲において高い光学性能を達成している。
【実施例２】
【００４０】
図３は本発明の実施例２のズームレンズの広角端で無限遠物体に合焦しているときのレンズ断面図である。本発明の実施例２に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００４１】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１群以上のズーミングに際して移動するレンズ群」は、物体側から像側へ順に、第３レンズ群Ｕ３と第４レンズ群Ｕ４から構成される。第３レンズ群は、広角端（短焦点距離端）から望遠端（長焦点距離端）へのズーミングに際して移動するズーミング用の正の屈折力を有するバリエーターレンズ群である。第４レンズ群は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に合焦する際に物体側に移動する。本実施例において、後レンズ群は図中でＵ５として記載され、物体側から像側へ順に、ズーミングのためには移動しない開口絞りＳＰ、負の屈折力の第５１レンズ群Ｕ５１、正の屈折力の第５３レンズ群Ｕ５３とズーミングに際して像側へ移動する負の屈折力の第５２レンズ群Ｕ５２で構成される。
【００４２】
実施例２では第１〜４レンズ群のレンズ構成は数値実施例１と全て同じである。第５レンズ群Ｕ５は開口絞りＳＰ、負レンズと正レンズの接合レンズ２枚の第５１レンズ群Ｕ５１、負レンズ、正レンズと負レンズの接合レンズ２枚から構成される第５２レンズ群Ｕ５２、正レンズと負レンズの接合レンズ２枚で構成される第５３レンズ群Ｕ５３で構成されている。
【００４３】
実施例２に対応する数値実施例を下記の＜数値実施例２＞に示す。
【００４４】
図４に、実施例２のズームレンズの無限遠合焦時の、（Ａ）広角端、（Ｂ）焦点距離２７４．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線とｇ線によって表されている。非点収差はｅ線のメリディオナル像面（ΔＭ）とｅ線のサジタル像面（ΔＳ）によって表されている。倍率色収差はｇ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００４５】
表１に数値実施例２の各条件式の対応値を示す。数値実施例２は条件式（１）〜（７）の何れの条件式も満足しており、本実施例のズームレンズは、大判カメラ用ズームレンズでありながら小型軽量で、ズーム比３０．０倍、広角端の半画角２３．４度、望遠端の半画角０．８度という、高ズーム比、広角端から望遠端までの全ズーム範囲において高い光学性能を達成している。
【実施例３】
【００４６】
図５は本発明の実施例３のズームレンズの広角端で無限遠物体に合焦しているときのレンズ断面図である。本発明の実施例３に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００４７】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１レンズ以上のズーミングに際して移動する群」は、物体側から像側へ順に、第３レンズ群Ｕ３と第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体への焦点調整に際し物体側に移動する。本実施例において、後レンズ群は、物体側から像側へ順に、ズーミングのためには移動しない開口絞りＳＰ、ズーミングのためには移動しない負の屈折力の第５レンズ群（リレーレンズ群）から構成される。ＩＰは像面であり、固体撮像素子（光電変換素子）の撮像面に相当している。
【００４８】
実施例３の各レンズレンズは、物体側より像側へ順に、以下の構成を有する。第１群Ｕ１は正レンズ、負レンズ、正レンズ３枚で構成されている。第２レンズ群Ｕ２は負レンズ３枚、及び正レンズで構成されている。第３レンズ群Ｕ３は正レンズ、負レンズ、正レンズで構成されている。第４レンズ群Ｕ４は、正レンズ、負レンズと正レンズの接合レンズから構成されている。第５レンズ群Ｕ５は、開口絞りＳＰ、負レンズと正レンズの接合レンズ、正レンズと負レンズの接合レンズ、負レンズと正レンズと負レンズの接合レンズ、正レンズと負レンズの接合レンズ２枚から構成されている。
【００４９】
実施例３に対応する数値実施例を下記の＜数値実施例３＞に示す。
【００５０】
図６に、実施例３のズームレンズの無限遠合焦時の、（Ａ）広角端、（Ｂ）焦点距離１６６．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線とｇ線によって表されている。非点収差はｅ線のメリディオナル像面（ΔＭ）とｅ線のサジタル像面（ΔＳ）によって表されている。倍率色収差はｇ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００５１】
表１に数値実施例３の各条件式の対応値を示す。数値実施例３は条件式（１）〜（７）の何れの条件式も満足している。本実施例のズームレンズは、大判カメラ用ズームレンズでありながら小型軽量で、ズーム比１１．０倍、広角端の半画角２３．４度、望遠端の半画角２．３度という、高ズーム比、広角端から望遠端までの全ズーム範囲において高い光学性能を達成している。
【実施例４】
【００５２】
図７は本発明の実施例４のズームレンズの広角端で無限遠物体に合焦しているときのレンズ断面図である。本発明の実施例３に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００５３】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１群以上のズーミングに際して移動するレンズ群」は、物体側から像側へ順に、第３レンズ群Ｕ３と第４レンズ群Ｕ４から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体への焦点調整に際し物体側に移動する。本実施例において、後レンズ群は、物体側から像側へ順に、ズーミングのためには移動しない開口絞りＳＰ、ズーミングのためには移動しない負の屈折力の第５レンズ群（リレーレンズ群）から構成される。ＩＰは像面であり、固体撮像素子（光電変換素子）の撮像面に相当している。
【００５４】
実施例４の各レンズ群は、物体側より像側へ順に、以下の構成を有する。
【００５５】
第１レンズ群Ｕ１は正レンズ、負レンズ、正レンズ３枚で構成されている。第２レンズ群Ｕ２は負レンズ３枚、及び正レンズで構成されている。第３レンズ群Ｕ３は正レンズ、負レンズ、正レンズで構成されている。第４レンズ群Ｕ４は、正レンズ、負レンズと正レンズの接合レンズから構成されている。第５レンズ群Ｕ５は開口絞りＳＰ、負レンズと正レンズの接合レンズ２枚、負レンズと正レンズと負レンズの接合レンズ、正レンズと負レンズの接合レンズ３枚から構成されている。このレンズ構成は、実施例１のズームレンズの構成と同じである。
【００５６】
実施例４に対応する数値実施例を下記の＜数値実施例４＞に示す。
【００５７】
図８に、実施例４のズームレンズの無限遠合焦時の、（Ａ）広角端、（Ｂ）焦点距離１８０．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線とｇ線によって表されている。非点収差はｅ線のメリディオナル像面（ΔＭ）とｅ線のサジタル像面（ΔＳ）によって表されている。倍率色収差はｇ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００５８】
表１に数値実施例４の各条件式の対応値を示す。数値実施例４は条件式（１）〜（７）の何れの条件式も満足している。本実施例のズームレンズは、大判カメラ用ズームレンズでありながら小型軽量で、ズーム比２０．０倍、広角端の半画角２０．３度、望遠端の半画角１．１度という、高ズーム比、広角端から望遠端までの全ズーム範囲において高い光学性能を達成している。
【実施例５】
【００５９】
図９は実施例５のズームレンズの広角端で無限遠物体に合焦しているときのレンズ断面図である。本発明の実施例５に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００６０】
図１４（Ａ）、（Ｂ）は実施例５のそれぞれ広角端と望遠端における無限物体合焦時の光路図である。Ｕ５２を通る軸上光線は略アフォーカルであり、広角端と望遠端において軸上光線の光軸からの高さがほぼ変わらない。よって、Ｕ５２がズーミングに際して移動することによる球面収差や軸上色収差などの軸上収差のズーム変動に与える影響は小さい。一方で、Ｕ５２を通る軸外主光線の光軸からの高さは、広角端よりも望遠端の方が高くなる。したがって、Ｕ５２がズーミングに際して移動することで像面湾曲や倍率色収差などの軸外収差のズーム変動を効果的に補正することができる。
【００６１】
第１レンズ群Ｕ１はズーミングのためには移動しない正の屈折力を有するレンズ群である。第２レンズ群Ｕ２は広角端（短焦点距離端）から望遠端（長焦点距離端）へのズーミングに際して像側へ移動するズーミング用の負の屈折力を有するバリエーターレンズ群である。本実施例における「少なくとも１群以上のズーミングに際して移動するレンズ群」は、物体側から像側へ順に、第３レンズ群Ｕ３と第４レンズ群から構成される。第３レンズ群Ｕ３は、広角端（短焦点距離端）から望遠端（長焦点距離端）へのズーミングに際して移動するズーミング用の正の屈折力を有するバリエーターレンズ群である。第４レンズ群Ｕ４は、第２レンズ群Ｕ２及び第３レンズ群Ｕ３に連動して移動し、ズーミングに伴う像面変動を補正する正の屈折力を有するコンペンセーターレンズ群である。また、第４レンズ群Ｕ４は無限遠物体から近距離物体に合焦する際に物体側に移動する。本実施例において、後レンズ群は図中でＵ５として記載され、物体側から像側へ順に、ズーミングのためには移動しない開口絞りＳＰ、負の屈折力の第５１レンズ群Ｕ５１、正の屈折力の第５３レンズ群Ｕ５３と、ズーミングに際して像側へ移動する負の屈折力の第５２レンズ群Ｕ５２で構成される。
【００６２】
実施例５の各レンズ群は、物体側より像側へ順に、以下の構成を有する。第１レンズ群Ｕ１は正レンズ、負レンズ、正レンズ３枚で構成されている。第２レンズ群Ｕ２は負レンズ３枚、及び正レンズで構成されている。第３レンズ群Ｕ３は正レンズ、負レンズ、正レンズで構成されている。第４レンズ群Ｕ４は、正レンズ、負レンズと正レンズの接合レンズから構成されている。第５レンズ群Ｕ５は開口絞りＳＰ、負レンズと正レンズの接合レンズ２枚の第５１レンズ群Ｕ５１、負レンズと正レンズの接合レンズ、負レンズと正レンズと負レンズの接合レンズから構成される第５２レンズ群Ｕ５２、正レンズと負レンズの接合レンズ２枚から構成される第５３レンズ群Ｕ５３で構成されている。
【００６３】
実施例５に対応する数値実施例を下記の＜数値実施例５＞に示す。
【００６４】
図１０に、実施例５のズームレンズの無限遠合焦時の、（Ａ）広角端、（Ｂ）焦点距離１８０．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線、ｇ線、Ｃ線、Ｆ線、９５０ｎｍによって表されている。非点収差はｅ線のメリディオナル像面（ΔＭ）とｅ線のサジタル像面（ΔＳ）によって表されている。倍率色収差はｇ線、Ｃ線、Ｆ線、９５０ｎｍによって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００６５】
表１に数値実施例５の各条件式の対応値を示す。数値実施例５は条件式（１）〜（７）の何れの条件式も満足している。本実施例のズームレンズは、大判カメラ用ズームレンズでありながら小型軽量で、ズーム比２０．０倍、広角端の半画角２８．４度、望遠端の半画角１．６度という、高ズーム比、広角端から望遠端までの全ズーム範囲において高い光学性能を達成している。
【実施例６】
【００６６】
図１１は実施例６のズームレンズの広角端で無限遠物体に合焦しているときのレンズ断面図である。本発明の実施例６に係るズームレンズは、物体側から順に、ズーミングのためには移動しない正の屈折力の第１レンズ群、ズーミングに際して移動する負の屈折力の第２レンズ群、少なくとも１群以上のズーミングに際して移動するレンズ群、開口絞りを含む後レンズ群から構成される。
【００６７】
第１群Ｕ１はズーミングのためには移動しない正の屈折力を有するレンズ群である。また、第１レンズ群Ｕ１は第１１レンズ群Ｕ１１と第１２レンズ群Ｕ１２から構成され、Ｕ１２は無限遠物体から近距離物体への焦点調整に際し物体側に移動する。第２レンズ群Ｕ２はズーミングに際して移動し、ズーミングの役割を担う。本実施例における「少なくとも１群以上のズーミングに際して移動するレンズ群」は、ズーミングに際して移動し、ズーミングに伴う像面変動を補正する役割を担う第３レンズ群Ｕ３である。本実施例において、後レンズ群は、ズーミングのためには移動せず、開口絞りＳＰを含み、正の屈折力を有する第４レンズ群Ｕ４（リレーレンズ群）で構成される。
【００６８】
実施例６では第１レンズ群Ｕ１は正レンズ、負レンズ、正レンズの第１１レンズ群Ｕ１１と焦点調整に際して移動する正レンズ３枚の第１２レンズ群Ｕ１２で構成されている。第２レンズ群Ｕ２は負レンズ２枚、正レンズ、負レンズ、正レンズで構成されている。第３レンズ群Ｕ３は負レンズと正レンズの接合レンズ、負レンズで構成されている。第４レンズ群Ｕ４は正レンズ２枚、負レンズと正レンズの接合レンズ、開口絞りＳＰ、正レンズ、負レンズと正レンズの接合レンズ、正レンズと負レンズと正レンズの接合レンズ、負レンズ、正レンズと負レンズの接合レンズ３枚で構成されている。
【００６９】
実施例６のズームレンズは、ズーム比２０．０倍、広角端の半画角２８．４度、望遠端の半画角１．６度である。
【００７０】
実施例６に対応する数値実施例を下記の＜数値実施例６＞に示す。
【００７１】
図１２に、実施例６のズームレンズの無限遠合焦時の、（Ａ）広角端、（Ｂ）焦点距離１８０．００ｍｍ、（Ｃ）望遠端における縦収差図を示す。図中、焦点距離の値は、数値実施例をｍｍ単位で表したときの値であり、以下の各数値実施例においてもすべて同じである。収差図において、球面収差はｅ線とｇ線によって表されている。非点収差はｅ線のメリディオナル像面（ΔＭ）とｅ線のサジタル像面（ΔＳ）によって表されている。倍率色収差はｇ線によって表されている。すべての収差図において、球面収差は０．５ｍｍ、非点収差は０．５ｍｍ、歪曲は５％、倍率色収差は０．０５ｍｍのスケールで描かれている。ＦｎｏはＦナンバー、ωは半画角である。尚、広角端と望遠端はズーミング用の第２レンズ群Ｕ２が機構上光軸上を移動可能な範囲の両端に位置したときのズーム位置をいう。
【００７２】
表１に数値実施例６の各条件式の対応値を示す。数値実施例６は条件式（１）〜（７）の何れの条件式も満足している。本実施例のズームレンズは、大判カメラ用ズームレンズでありながら小型軽量で、ズーム比２０．０倍、広角端の半画角２８．４度、望遠端の半画角１．６度という、高ズーム比、広角端から望遠端までの全ズーム範囲において高い光学性能を達成している。
【実施例７】
【００７３】
図１３を用いて、各数値実施例のズームレンズを撮影光学系として用いた実施例７としての撮像装置（テレビカメラシステム）の概要を説明する。図１３は本発明の撮像装置の要部概略図である。図１３において１０１は数値実施例１〜６のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【００７４】
ズームレンズ１０１は第１レンズ群Ｆ、変倍レンズ群ＬＺ、結像用の後レンズ群Ｒを有している。第１レンズ群Ｆ、又は変倍レンズ群ＬＺは焦点調節用レンズ群が含まれている。変倍部ＬＺはズーミングに際して光軸上を移動する群と、ズーミングに伴う像面変動を補正する為に光軸上を移動するレンズ群が含まれている。結像用の後レンズ群Ｒは開口絞りＳＰが含まれている。
レンズユニットＩＥはズームレンズ１０１の全系の焦点距離範囲を変移している。
【００７５】
１１４、１１５は、各々第１レンズ群Ｆ、変倍レンズ群ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。
【００７６】
このように本発明のズームレンズをテレビカメラに適用することにより、高い光学性能を有する撮像装置を実現している。
【００７７】
＜数値実施例１＞
面データ
面番号        r       d         nd       vd      有効径 
1          322.060   15.85   1.43387    95.1     144.38
2         -561.835    0.20       1               142.80
3        -1053.084    4.50   1.72916    54.7     141.67
4          150.529    1.17       1               138.78
5          150.029   23.11   1.43387    95.1     139.70
6         -872.351    0.20       1               139.89
7          167.827   16.77   1.43387    95.1     140.27
8         2068.554    0.20       1               139.60
9          136.426   14.91   1.43387    95.1     133.89
10         438.209   (可変)      1               132.53
11*        632.290    1.50   1.53715    74.8      51.90
12          31.090   12.63       1                41.46
13         -49.863    1.50   1.53715    74.8      41.14
14          72.781    9.70       1                38.75
15         -31.818    1.50   1.53715    74.8      38.68
16        -179.190    0.50       1                41.60
17          86.827    7.04   1.65412    39.7      44.03
18*        -71.085   (可変)      1                44.17
19         183.198    7.12   1.51742    52.4      43.04
20         -62.377    0.20       1                43.13
21         -76.444    1.50   1.90200    25.1      42.81
22         851.985    0.20       1                43.35
23*         87.377    7.20   1.51742    52.4      43.94
24         -85.691   (可変)      1                44.05
25          47.110    9.21   1.53715    74.8      40.20
26         -75.770    0.20       1                39.46
27*       -161.231    1.50   1.77250    49.6      38.03
28          36.474    8.42   1.53715    74.8      35.50
29         -88.021   (可変)      1                35.03
30 (絞り)    ∞       2.50       1                29.14
31       -3203.415    1.50   1.88300    40.8      27.29
32          33.206    7.00   1.59270    35.3      25.76
33         -59.743    0.20       1                24.86
34        -341.630    1.50   1.88300    40.8      23.83
35          23.827    5.46   1.59270    35.3      22.22
36         214.783    0.90       1                21.50
37         255.490    1.50   1.88300    40.8      21.23
38          23.670    7.96   1.85478    24.8      20.46
39         -82.946    1.50   1.88300    40.8      20.25
40          69.429    0.20       1                20.42
41          51.937    7.06   1.85478    24.8      20.61
42         -52.719    1.50   1.88300    40.8      20.68
43          57.414   21.89       1                20.75
44         263.495    3.94   1.53172    48.8      28.76
45         -61.741    1.50   1.95906    17.5      29.12
46         192.038    0.20       1                30.14
47          62.143    6.68   1.53172    48.8      31.30
48         -46.182    1.50   1.95906    17.5      31.75
49         -64.474               1                32.54
像面         ∞   
非球面データ
第11面
K = 0.00000e+000  A 4= 2.87407e-006  A 6=-9.87572e-010  A 8= 2.85037e-012  A10=-4.14374e-015  A12= 3.90023e-018  
第18面
K = 0.00000e+000  A 4= 2.92304e-006  A 6= 1.18582e-009  A 8=-4.62922e-013  
A10= 1.31730e-015  A12=-9.42211e-019  
第23面
K = 0.00000e+000  A 4=-1.91661e-006  A 6=-4.52468e-010  A 8= 4.64191e-013  A10=-1.09395e-015  A12= 5.73853e-019  
第27面
K = 0.00000e+000  A 4=-1.73820e-006  A 6= 2.71278e-010  A 8= 2.02182e-012  A10=-6.46061e-015  A12= 6.25473e-018  
各種データ
ズーム比     20.00 
広角     中間     望遠
焦点距離      40.00   180.00   800.01  
Fナンバー      4.60     5.36     5.60  
画角          28.42     6.86     1.55  
像高          21.65    21.65    21.65  
レンズ全長   455.50   455.50   455.50  
BF            55.06    55.06    55.06  
d10            2.00    98.90   151.82  
d18          150.89    51.21     1.50  
d24           24.24    14.85    17.13  
d29            1.99    14.16     8.67  
入射瞳位置   107.23   519.10   2512.83  
射出瞳位置   -62.78   -62.78    -62.78  
前側主点位置 133.65   424.16  -2118.25  
後側主点位置  15.06  -124.94   -744.95  
ズームレンズ群データ
群  始面    焦点距離  レンズ構成長  前側主点位置  後側主点位置
1    1     220.00        76.90        33.42        -20.78
2   11     -33.00        34.38         3.10        -30.02
3   19     100.00        16.22         7.40         -3.43
4   25      77.00        19.33         3.44         -9.65
5   30     -49.29        74.49         4.50        -58.66
【００７８】
＜数値実施例２＞
面データ
面番号        r       d         nd       vd     有効径 
1          309.463   16.60    1.43387    95.1    154.77
2         -796.747    0.20        1              154.24
3        -3147.021    4.50    1.72916    54.7    153.21
4          153.581    0.29        1              148.91
54         152.879   25.01    1.43387    95.1    149.17
64       -1082.423    0.20        1              149.20
7          166.085   19.51    1.43387    95.1    148.33
8         1728.054    0.20        1              147.17
9          141.414   16.30    1.43387    95.1    139.79
10         469.895   (可変)       1              137.94
11*        140.220    1.50    1.53715    74.8     53.82
12          35.668   12.40        1               45.60
13        -173.953    1.50    1.53715    74.8     42.36
14          98.820    7.67        1               39.65
15         -40.525    1.50    1.59522    67.7     39.27
16          59.876    0.19        1               39.89
17          48.642    5.52    1.72047    34.7     40.57
18*      -1495.589   (可変)       1               40.44
19          64.955   10.22    1.43875    94.9     52.76
20        -122.301    0.20        1               52.56
21        -171.372    1.70    2.00069    25.5     52.17
22       28261.585    0.20        1               52.09
23*        172.482    5.93    1.49700    81.5     52.02
24        -129.888   (可変)       1               51.89
25          44.114    8.96    1.49700    81.5     41.51
26         -97.659    0.20        1               40.77
27*       -310.687    1.50    1.77250    49.6     39.23
28          87.110    4.54    1.49700    81.5     37.40
29        -261.144   (可変)       1               36.63
30(絞り)     ∞       2.50        1               30.68
31         242.016    1.50    1.88300    40.8     28.2
32          23.168    7.96    1.59270    35.3     25.77
33         -69.912    2.68        1               24.75
34         107.234    1.50    1.88300    40.8     21.13
35          20.680    3.42    1.59270    35.3     19.36
36          63.981   (可変)       1               18.63
37         -56.252    1.50    1.88300    40.8     17.34
38          41.889    0.19        1               17.00
39          32.689    7.69    1.85478    24.8     17.07
40         -26.389    1.50    1.88300    40.8     17.66
41          36.873    0.20        1               18.23
42          36.185    8.15    1.85478    24.8     18.43
43         -24.954    1.50    1.88300    40.8     19.12
44          48.974   (可変)       1               19.77
45          63.097    9.88    1.53172    48.8     26.98
46         -32.051    1.50    1.95906    17.5     28.36
47        -103.359    0.20        1               29.93
48          70.421   11.48    1.53172    48.8     31.63
49         -30.910    1.50    1.95906    17.5     32.53
50         -54.654                1               33.90
像面         ∞   
非球面データ
第11面
K = 0.00000e+000  A 4= 5.19683e-007  A 6= 1.73681e-009  A 8=-1.50609e-012 
A10= 1.43359e-015  A12= 1.52701e-019  
第18面
K = 0.00000e+000  A 4= 2.12056e-006  A 6= 3.22748e-009  A 8=-4.68497e-012  
A10= 1.02585e-014  A12=-8.52497e-018  
第23面
K = 0.00000e+000  A 4=-1.18543e-006  A 6=-8.02896e-011  A 8=-8.20631e-014  
A10= 1.16608e-016  A12=-6.41427e-020  
第27面
K = 0.00000e+000  A 4=-1.70895e-006  A 6= 3.36974e-010  A 8=-6.60188e-013  
A10= 1.19349e-015  A12=-1.04914e-018  
各種データ
ズーム比     30.00 
広角     中間     望遠
焦点距離      50.00   274.00  1500.08  
Fナンバー      4.60     5.53     9.82  
画角          23.41     4.52     0.83  
像高          21.65    21.65    21.65  
レンズ全長   491.04   491.04   491.04  
BF            55.11    55.11    55.11  
d10            7.38   107.00   140.37  
d18          166.85    72.50     1.50  
d24           34.64    18.19    65.96  
d29            2.00    13.19     3.05  
d36            3.85     6.90    12.65  
d44            9.80     6.75     1.00  
入射瞳位置   139.06   842.29    5080.32  
射出瞳位置   -77.29   -69.39     -55.99  
前側主点位置 170.17   513.30  -13673.40  
後側主点位置   5.11  -218.89   -1444.97  
ズームレンズ群データ
群  始面    焦点距離  レンズ構成長  前側主点位置  後側主点位置
1    1     215.00        82.80        32.99        -25.39
2   11     -30.50        30.29        10.33        -14.22
3   19      92.50        18.24         4.95         -7.75
4   25      80.00        15.20         0.96         -9.21
5   30     -63.66        19.57        10.42         -3.00
6   37     -30.09        20.74         6.19         -4.18
7   45      67.56        24.57         7.17         -9.40
【００７９】
＜数値実施例３＞
面データ
面番号        r        d        nd        vd     有効径 
1          323.583    20.69   1.43387    95.1    154.53
2         -474.993     0.20       1              151.81
3         -548.786     4.50   1.72916    54.7    150.72
4          177.844     4.74       1              141.29
5          177.453    22.50   1.43387    95.1    141.41
6         -559.198     0.20       1              140.89
7          213.284    16.10   1.43387    95.1    137.41
8        -3234.199     0.20       1              136.58
9          153.517    14.92   1.43387    95.1    131.56
10         558.979    (可変)      1              129.61
11*        391.648     1.50   1.53715    74.8     58.53
12          35.008    13.78       1               48.28
13         -76.088     1.50   1.53715    74.8     48.11
14         208.735     8.23       1               46.76
15         -45.774     1.50   1.53715    74.8     46.66
16        -175.487     0.50       1               48.45
17         116.939     6.28   1.80000    29.8     49.87
18*       -316.657    (可変)      1               49.76
19         137.482     8.29   1.51742    52.4     45.15
20         -60.464     0.63       1               45.33
21         -65.600     1.50   1.90200    25.1     45.02
22        -489.271     0.20       1               45.98
23*        108.086     6.81   1.51742    52.4     46.80
24        -102.805    (可変)      1               47.00
25          44.079    12.04   1.53715    74.8     45.45
26         -86.609     0.20       1               44.12
27*       -258.212     1.50   1.77250    49.6     41.86
28          33.953     9.60   1.53715    74.8     38.00
29        -101.992    (可変)      1               37.33
30(絞り)     ∞        2.50       1               27.69
31        -128.577     1.50   1.88300    40.8     26.30
32          29.387     6.38   1.59270    35.3     24.91
33         -43.762     0.20       1               24.61
34        -489.500     1.50   1.88300    40.8     23.38
35        -155.569     1.00   1.59270    35.3     22.99
36          27.201     3.44       1               22.45
37         775.668     1.50   1.88300    40.8     22.89
38          20.246     6.56   1.85478    24.8     23.92
39        -107.871     1.50   1.88300    40.8     24.35
40         113.856     0.20       1               24.98
41          29.221     6.75   1.85478    24.8     26.76
42          60.858     1.50   1.88300    40.8     25.92
43          33.922    19.54       1               25.47
44          39.993    12.31   1.53172    48.8     34.04
45         -34.383     1.50   1.95906    17.5     33.72
46        -170.719                1               34.66
像面        ∞   
非球面データ
第11面
K = 0.00000e+000  A 4= 1.34967e-006  A 6=-4.59445e-010  A 8= 5.39719e-014  
A10= 1.48200e-016  A12=-4.44673e-020  
第18面
K = 0.00000e+000  A 4= 1.03240e-006  A 6=-5.48948e-011  A 8=-7.61369e-014  
A10= 2.71026e-016  A12=-1.43650e-019  
第23面
K = 0.00000e+000  A 4=-1.39189e-006  A 6=-2.09025e-010  A 8=-7.86430e-013  
A10= 1.16795e-015  A12=-9.06787e-019  
第27面
K = 0.00000e+000  A 4=-2.01409e-006  A 6= 5.39440e-010  A 8= 9.28833e-013  A10=-2.69874e-015  A12= 1.98395e-018  
各種データ
ズーム比     11.00 
広角     中間     望遠
焦点距離      50.00   166.00   550.09  
Fナンバー      4.00     4.00     4.00  
画角          23.41     7.43     2.25  
像高          21.65    21.65    21.65  
レンズ全長   449.62   449.62   449.62  
BF            49.91    49.91    49.91  
d10           16.97    97.72   149.35  
d18          139.31    57.30     6.46  
d24           15.43     9.34    12.76  
d29            2.00     9.35     5.14  
入射瞳位置   154.03   508.75   1723.06  
射出瞳位置   -52.31   -52.31    -52.31  
前側主点位置 179.58   405.18   -687.13  
後側主点位置  -0.09  -116.09   -500.18  
ズームレンズ群データ
群  始面    焦点距離  レンズ構成長  前側主点位置  後側主点位置
1    1     230.00        84.05        43.02        -17.19
2   11     -42.42        33.30         4.60        -24.61
3   19     100.00        17.43         6.78         -5.07
4   25      75.00        23.34         3.28        -12.58
5   30     -51.64        67.88         1.99        -50.39
【００８０】
＜数値実施例４＞
面データ
面番号        r       d        nd        vd      有効径
1          323.793   16.54    1.43387    95.1    142.87
2         -461.112    0.20        1              142.45
3         -897.246    4.50    1.72916    54.7    141.46
4          150.093    0.92        1              138.42
5          149.042   23.55    1.43387    95.1    139.19
6         -746.449    0.20        1              139.36
7          170.564   16.32    1.43387    95.1    139.35
8         2093.602    0.20        1              138.66
9          140.468   14.48    1.43387    95.1    133.05
10         466.164   (可変)       1              131.70
11*        248.924    1.50    1.53715    74.8     35.97
12          30.699   10.17        1               31.49
13         -34.307    1.50    1.53715    74.8     29.39
14          73.732    7.15        1               28.62
15         -29.328    1.50    1.53715    74.8     28.67
16        2107.239    0.31        1               30.76
17          91.584    5.58    1.65412    39.7     32.35
18*        -48.495   (可変)       1               32.96
19         201.356    6.03    1.51742    52.4     40.56
20         -70.340    0.20        1               40.68
21         -73.507    1.50    1.90200    25.1     40.61
22        1122.574    0.20        1               41.32
23*         80.205    7.48    1.51742    52.4     42.15
24         -75.285   (可変)       1               42.32
25          46.671    9.09    1.53715    74.8     39.63
26         -74.476    0.20        1               38.93
27*       -143.645    1.50    1.77250    49.6     37.70
28          39.768    7.92    1.53715    74.8     35.49
29         -91.081   (可変)       1               35.07
30(絞り)     ∞       2.50        1               28.26
31       34080.822    1.50    1.88300    40.8     26.53
32          28.636    7.28    1.59270    35.3     24.99
33         -56.012    0.20        1               24.24
34        -431.425    1.50    1.88300    40.8     23.26
35         25.163     4.01    1.59270    35.3     21.87
36        151.721    11.70        1               21.45
37        317.930     1.50    1.88300    40.8     19.03
38         21.630     5.15    1.85478    24.8     19.07
39        -41.130     1.50    1.88300    40.8     19.12
40         58.737     0.20        1               19.23
41         43.001     4.03    1.85478    24.8     19.42
42        -42.770     1.50    1.88300    40.8     19.37
43         67.007    18.60        1               19.31
44        168.174     4.11    1.53172    48.8     23.44
45        -37.776     1.50    1.95906    17.5     23.62
46        654.970     0.20        1               24.39
47         62.647     5.66    1.53172    48.8     25.03
48        -32.484     1.50    1.95906    17.5     25.32
49        -48.204                 1               26.02
像面        ∞  
非球面データ
第11面
K = 0.00000e+000  A 4= 3.65195e-006  A 6= 1.68193e-009  A 8= 4.43501e-012  A10=-2.24894e-015  A12= 2.22720e-017  
第18面
K = 0.00000e+000  A 4= 3.04324e-006  A 6= 3.13823e-009  A 8= 1.50868e-012  
A10= 1.41400e-015  A12=-2.07204e-018  
第23面
K = 0.00000e+000  A 4=-1.90927e-006  A 6=-2.34953e-010  A 8= 4.58990e-013  A10=-1.10603e-015  A12= 7.48446e-019  
第27面
K = 0.00000e+000  A 4=-1.91675e-006  A 6= 2.70442e-010  A 8= 1.96888e-012  A10=-6.13215e-015  A12= 5.82002e-018  
各種データ
ズーム比     20.00 
広角     中間     望遠
焦点距離      40.00   180.00   800.05  
Fナンバー      4.60     5.30     5.60  
画角          20.30     4.70     1.06  
像高          14.80    14.80    14.80  
レンズ全長   458.25   458.25   458.25  
BF            55.08    55.08    55.08  
d10           18.61   105.27   152.20  
d18          142.85    52.38     5.93  
d24           26.83    16.54    18.08  
d29            1.99    16.09    14.07  
入射瞳位置   134.59   575.50   2678.02  
射出瞳位置   -72.59   -72.59    -72.59  
前側主点位置 162.05   501.72  -1535.51  
後側主点位置  15.08  -124.92   -744.97  
ズームレンズ群データ
群  始面    焦点距離  レンズ構成長  前側主点位置  後側主点位置
1    1     218.00        76.91        33.53        -20.70
2   11     -29.00        27.71         3.66        -22.45
3   19     100.00        15.41         7.67         -2.59
4   25      77.00        18.72         3.15         -9.49
5   30     -62.59        74.13        -1.66        -74.29
【００８１】
＜数値実施例５＞
面データ
面番号        r         d        nd       vd      有効径 
1          338.492    13.36    1.43387    95.1    145.09
2        -1056.352     0.20        1              144.58
3         9766.859     4.50    1.72916    54.7    143.68
4          152.001     0.28        1              139.81
5          150.359    22.32    1.43387    95.1    140.08
6        -1220.081     0.20        1              140.04
7          162.878    16.33    1.43387    95.1    138.78
8         1342.727     0.20        1              138.01
9          146.736    13.34    1.43387    95.1    132.70
10         440.765    (可変)       1              131.37
11*        540.975     1.50    1.53715    74.8     55.04
12         31.782     12.98        1               43.73
13        -60.783      1.50    1.49700    81.5     43.44
14         69.516     10.72        1               40.42
15        -31.884      1.50    1.49700    81.5     40.29
16       -235.525      0.20        1               43.17
17         86.044      6.51    1.65412    39.7     45.15
18*       -94.646     (可変)       1               45.23
19       -252.124      4.63    1.49700    81.5     41.72
20        -64.746      0.20        1               42.09
21        -68.342      1.50    1.80000    29.8     42.06
22       -147.364      0.20        1               42.88
23*       103.732      7.01    1.49700    81.5     43.69
24        -80.576     (可変)       1               43.77
25         48.169     10.36    1.43875    94.9     39.51
26        -72.455      0.20        1               38.41
27*      -216.225      1.50    1.77250    49.6     37.04
28         55.197      8.32    1.49700    81.5     35.50
29        -84.294     (可変)       1               34.73
30(絞り)    ∞         2.50        1               26.77
31        994.325      1.50    1.88300    40.8     25.01
32         30.855      5.29    1.59270    35.3     23.65
33        -76.667      3.38        1               23.08
34        658.519      1.50    1.88300    40.8     20.20
35         29.537      2.46    1.59270    35.3     19.13
36         49.517     (可変)       1               18.61
37      -2522.380      1.50    1.88300    40.8     24.36
38         21.246      8.22    1.80000    29.8     25.19
39        -39.806      1.50    1.81600    46.6     25.64
40         42.560      0.30        1               26.97
41         39.767      8.32    1.80000    29.8     27.71
42        -26.870      1.50    1.81600    46.6     28.08
43        413.934     (可変)       1               29.23
44       -479.321      4.06    1.53172    48.8     29.83
45        -47.418      1.50    1.95906    17.5     30.37
46       -317.270      0.20        1               31.74
47         85.998      7.74    1.53172    48.8     33.24
48        -35.508      1.50    1.95906    17.5     33.74
49        -48.932                  1               34.87
像面        ∞  
非球面データ
第11面
K = 0.00000e+000  A 4= 2.19810e-006  A 6=-2.03032e-010  A 8= 1.21450e-013  A10=-2.76399e-016  A12= 7.66068e-019  
第18面
K = 0.00000e+000  A 4= 2.49248e-006  A 6= 9.08308e-010  A 8=-2.33699e-013  A10=-1.57605e-016  A12= 3.40961e-019  
第23面
K = 0.00000e+000  A 4=-1.45934e-006  A 6=-1.88905e-010  A 8= 3.64285e-013  A10=-7.88409e-016  A12= 5.55245e-019  
第27面
K = 0.00000e+000  A 4=-1.75300e-006  A 6=-1.43359e-011  A 8= 1.63304e-012  A10=-5.29419e-015  A12= 5.33797e-018  
各種データ
ズーム比     20.00 
広角     中間     望遠
焦点距離      40.00   180.00   800.08  
Fナンバー      4.60     5.26     5.60  
画角          28.42     6.86     1.55  
像高          21.65    21.65    21.65  
レンズ全長   455.67   455.67   455.67  
BF            55.00    55.00    55.00  
d10            2.00    98.12   151.95  
d18          148.92    49.05     1.50  
d24           31.95    20.89    21.44  
d29            2.00    16.81     9.98  
d36            5.21     6.91    22.28  
d43           18.07    16.37     1.00  
入射瞳位置   105.80   523.39   2601.65  
射出瞳位置   -88.14   -87.24    -76.78  
前側主点位置 134.62   475.60  -1455.66  
後側主点位置  15.00  -125.00   -745.08  
ズームレンズ群データ
群  始面    焦点距離  レンズ構成長  前側主点位置  後側主点位置
1    1     223.00        70.72        27.97        -21.67
2   11     -32.70        34.91         4.59        -27.63
3   19      96.00        13.55         8.00         -0.96
4   25      83.00        20.38         4.82         -9.65
5   30     -45.70        16.62        10.01         -1.97
6   37    -166.63        21.34         3.54         -8.20
7   44     145.17        14.99        13.10          4.00
【００８２】
＜数値実施例６＞
面データ
面番号        r         d        nd       vd      有効径 
1          525.150    17.98    1.43387    95.1    165.29 
2         -386.921     0.20        1              164.23 
3         -397.936     4.00    1.77250    49.6    163.82 
4          256.224     4.16        1              157.89 
5          259.750    21.27    1.43387    95.1    158.20 
6         -531.172    11.90        1              157.77 
7          281.361    16.54    1.43387    95.1    153.18 
8        -1012.161     0.20        1              151.94 
9          218.874    14.41    1.43387    95.1    143.52 
10        3797.221     0.20        1              142.44 
11         150.278    12.22    1.43387    95.1    134.60 
12         340.920    (可変)       1              132.75 
13*       6640.105     1.20    1.77250    49.6     53.41 
14          42.436    13.30        1               45.44 
15         -44.708     1.20    1.53715    74.8     44.51 
16          59.902     0.90        1               42.67 
17          64.837    10.02    1.65412    39.7     42.76 
18         -52.018     2.92        1               42.41 
19         -34.694     1.20    1.53715    74.8     41.99 
20         165.769     0.44        1               42.12 
21         201.063     3.80    1.72047    34.7     42.15 
22        -248.245    (可変)       1               42.16 
23         -93.960     1.20    1.59522    67.7     38.75 
24         250.155     2.91    1.90200    25.1     39.87 
25        -337.935     1.66        1               40.18 
26         -99.190     1.20    1.72916    54.7     40.24 
27       -1412.961    (可変)       1               41.29 
28         696.983     5.92    1.43875    94.9     43.21 
29         -60.816     0.20        1               43.77 
30*        107.225     3.82    1.60311    60.6     45.07 
31         329.310     0.20        1               45.10 
32         238.219     1.20    1.83400    37.2     45.14 
33         178.775     3.43    1.49700    81.5     45.09 
34        -503.903     0.99        1               45.11 
35(絞り）    ∞        1.00        1               45.08 
36*        46.927      8.68    1.60311    60.6     44.93 
37       1082.680     12.96        1               43.62 
38        103.828      1.30    1.84666    23.8     33.71 
39         27.869      5.03    1.48749    70.2     31.24 
40         45.526      4.70        1               30.27 
41         25.942      8.32    1.49700    81.5     29.16 
42        -49.356      1.30    1.88300    40.8     28.20 
43         24.054      6.64    1.64769    33.8     26.16 
44        -67.743     11.46        1               25.94 
45*       109.724      1.20    1.88300    40.8     23.59 
46         18.867      0.33        1               22.48 
47         19.373     11.85    1.69895    30.1     22.86 
48        -13.841      1.20    1.83481    42.7     22.54 
49         79.551      0.20        1               23.18 
50         79.565      6.26    1.69895    30.1     23.26 
51        -30.370      1.20    1.88300    40.8     23.60 
52         89.347     21.16        1               24.39 
53         58.746     11.06    1.62041    60.3     39.11 
54        -35.731      1.20    1.84666    23.8     39.25 
55        -96.770                  1               40.36
像面        ∞  
非球面データ
第13面
K = 8.73228e+003  A 4= 1.93552e-006  A 6= 7.30278e-010  A 8=-4.11416e-012  
A10= 1.02033e-014  A12=-2.67404e-018  A14=-1.44507e-020  A16= 1.36217e-023  
第30面
K = 2.34161e-001  A 4=-1.14955e-006  A 6= 7.61543e-011  A 8=-5.72777e-013  
A10= 4.16304e-016  A12=-2.76724e-019  
第36面
K = 2.58361e-001  A 4= 2.47940e-007  A 6=-3.26879e-011  A 8= 4.43478e-013  A10=-2.51381e-016  A12= 2.00540e-019  
第45面
K = 5.93347e+001  A 4= 8.01108e-007  A 6=-1.44279e-009  A 8= 3.36608e-011  A10=-2.05140e-013  A12= 5.44834e-016  
各種データ
ズーム比     20.00 
広角     中間     望遠
焦点距離      40.00   180.00   800.00  
Fナンバー      4.60     4.60     5.60  
画角          28.42     6.86     1.55  
像高          21.65    21.65    21.65  
レンズ全長   473.71   473.71   473.71  
BF            51.98    51.98    51.98  
d12            0.99    97.17   136.44  
d22          140.10    27.10     6.47  
d27            2.81    19.64     1.00  
入射瞳位置   124.91   552.50   1711.87  
射出瞳位置  -123.45  -123.45   -123.45  
前側主点位置 155.79   547.81  -1136.25  
後側主点位置  11.98  -128.02   -748.02  
ズームレンズ群データ
群  始面    焦点距離  レンズ構成長  前側主点位置  後側主点位置
1    1     196.00       103.08        60.03        -14.99
2   13     -32.60        34.98         5.21        -21.42
3   23    -107.00         6.97         2.09         -2.49
4   28      52.13       132.80        -3.16       -134.91
【００８３】
【表１】
2015212725.tif 000004
【符号の説明】
【００８４】
Ｕ１    ：  第１レンズ群
Ｕ１１  ：  第１１レンズ群
Ｕ１２  ：  第１２レンズ群
Ｕ２    ：  第２レンズ群
Ｕ３    ：  第３レンズ群
Ｕ４    ：  第４レンズ群
Ｕ５    ：  第５レンズ群
Ｕ５１  ：  第５１レンズ群
Ｕ５２  ：  第５２レンズ群
Ｕ５３  ：  第５３レンズ群
ＳＰ    ：  開口絞り
１０１    ：  ズームレンズ
１０９    ：  ガラスブロック
Ｆ        ：  第１レンズ群
ＬＺ      ：  変倍レンズ群
Ｒ        ：  後レンズ群
【図１】
2015212725.tif 000005
【図２】
2015212725.tif 000006
【図３】
2015212725.tif 000007
【図４】
2015212725.tif 000008
【図５】
2015212725.tif 000009
【図６】
2015212725.tif 000010
【図７】
2015212725.tif 000011
【図８】
2015212725.tif 000012
【図９】
2015212725.tif 000013
【図１０】
2015212725.tif 000014
【図１１】
2015212725.tif 000015
【図１２】
2015212725.tif 000016
【図１３】
2015212725.tif 000017
【図１４】
2015212725.tif 000018